(57)【要約】【目的】ｎ次オーバトーン特に５次以上のオーバトーン周波数での発振を容易にしたオーバトーン発振器を提供する。【構成】水晶振動子と分割コンデンサとで共振回路を形成し、前記共振回路の共振周波数に依存した発振周波数を帰還増幅してなるオーバトーン用の水晶発振器において、前記水晶振動子に並列に抵抗を接続し、前記水晶振動子に直列インダクタを接続した構成とする。また、前記水晶振動子に並列に抵抗を接続した並列回路の等価直列容量及び前記並列回路から見た回路側の負荷容量による直列等価容量と前記インダクタとの直列共振回路における前記抵抗を０から無限大に変化させたときの共振周波数をｆ1〜ｆ2としたとき、前記共振周波数ｆ1〜ｆ2の範囲内に前記水晶振動子のｎ次オーバトーン周波数（但し、ｎは３以上の奇数）が位置する構成とする。【選択図】図１
2005159386.tif 000002
【特許請求の範囲】
【請求項１】
水晶振動子と分割コンデンサとで共振回路を形成し、前記共振回路の共振周波数に依存した発振周波数を帰還増幅してなるオーバトーン用の水晶発振器において、前記水晶振動子に並列に抵抗を接続し、前記水晶振動子に直列インダクタを接続したことを特徴とする水晶発振器。
【請求項２】
前記水晶振動子に並列に抵抗を接続した並列回路の等価直列容量及び前記並列回路から見た回路側の負荷容量による直列等価容量と前記インダクタとの直列共振回路における前記抵抗を０から無限大に変化させたときの共振周波数をｆ1〜ｆ2としたとき、前記共振周波数ｆ1〜ｆ2の範囲内に前記水晶振動子のｎ次オーバトーン周波数（但し、ｎは３以上の奇数）が位置する請求項１の水晶発振器。
【請求項３】
前記抵抗と前記インダクタの値はｎ次オーバトーン周波数のみで周波数条件を満たす値に設定された請求項１の水晶発振器。
【請求項４】
少なくとも前記抵抗と前記インダクタ及び発振回路を集積化したＩＣチップとを表面実装用とした凹状容器の凹部底面に配置し、両主面に励振電極を有して引出電極の延出した水晶片の外周部を凹部内壁の段部に固着して、前記容器本体の開口面を封止しなる請求項１の水晶発振器。
【発明の詳細な説明】
【技術分野】
【０００１】
本発明はオーバトーン用の水晶発振器（以下、オーバトーン発振器とする）を技術分野とし、ｎ次オーバトーン（ｎは３以上の奇数）特に５次オーバトーン以上での発振を容易にしたオーバトーン発振器に関する。
【背景技術】
【０００２】
（発明の背景）オーバトーン発振器は水晶振動子の基本波振動周波数に対する奇数次のオーバトーン周波数を利用して、高周波の発振周波数を得るものとして知られている。現状では、３次オーバトーンでの発振によって180MHz程度までの高周波化とした表面実装用のオーバトーン発振器が量産化されている。これらは、例えば光通信でのデジタルネットワーク用の高周波低ジッター水晶発振器として使用され、近年ではさらなる高周波化が望まれている。
【０００３】
（従来技術の一例）第５図は一従来例を説明するオーバトーン発振器の概略回路図である。
オーバトーン発振器は、通常の水晶発振器（基本波）と同様に、共振回路１と発振用増幅器２からなる。共振回路１はインダクタ成分として機能するＡＴカットとした水晶振動子３と、水晶振動子３の両端側に接続してアース接地した分割コンデンサＣa、Ｃbからなる。いわゆるコルピッツ型とする。
【０００４】
水晶振動子は、第６図の共振特性（周波数−リアクタンス特性）に示したように、周波数に対して直列共振点（共振点）ｆs及び並列共振点（反共振点）ｆaを有する。そして、共振点ｆsと反共振点ｆaとの間を誘導性（インダクタ成分）として動作し、分割コンデンサＣa、Ｃbと共振回路を形成する。
【０００５】
発振用増幅器２はインバータとして水晶振動子３の端子間に接続し、入出力間に帰還抵抗４を備える。そして、発振用増幅器２によって共振回路１の共振周波数を帰還増幅して発振する。但し、厳格には、水晶振動子３から見た回路側の直列等価容量（負荷容量）ＣLによって決定される発振周波数を帰還増幅する。なお、水晶振動子３以外はＩＣ化され、例えばＣＦ５０３４ＢＡ（ＮＰＣ社製）が使用される。
【０００６】
このようなものでは、周知のように振幅条件（電力条件）及び周波数条件（位相条件）を満たしたとき発振する。振幅条件とは水晶振動子３と回路側の抵抗が等しいこと、周波数条件とは水晶振動子３のインダクタと回路側の容量とによるインピーダンスとが等しいことを指す。そして、通常では、水晶振動子３のインピーダンスは次数が低いほど小さいので、両者の条件満たすと基本波で発振する。
【０００７】
したがって、ｎ次オーバトーンで発振させる場合には、ｎ次オーバトーン周波数のみで振幅条件及び周波数条件を満足させるか、いずれの次数でも両者の条件を満たしてｎ次オーバトーンのインピーダンスを最小にさせる必要がある。
【０００８】
このようなことから、例えば特許文献１では、回路側の周波数に対する負性抵抗曲線が例えば基本波では正として振幅条件を満足させず、３次オーバトーンでの発振を可能にすることを開示している。例えば第７図に示したように負性抵抗曲線の遮断周波数ｆαを基本波周波数より高く３次オーバトーン周波数より低くすれば、３次オーバトーンで発振する。なお、３次オーバトーン周波数以上でも振幅条件は満足するが、３次オーバトーンでのインピーダンスが最も小さいために３次オーバトーンで発振する。
【０００９】
このようなものでは、特に分割コンデンサＣa、Ｃb及び帰還抵抗４の値を調整し、180MHz程度までの３次オーバトーンでの発振を可能にしている。なお、基本波で100MHz以上の発振を可能とする水晶振動子３もあるが、ＡＴカットでは振動周波数が高くなるほど厚みが小さくなって製作を困難にする。これに対して、オーバトーンでは厚みが大きいので製作を容易にする。
【００１０】
【特許文献１】特公昭４７-２２４１３号公報
【特許文献２】特開平７−２７３５４９号公報
【特許文献３】特開平１−２９０３０３号公報
【発明の開示】
【発明が解決しようとする課題】
【００１１】
（従来技術の問題点）しかしながら、上記構成のオーバトーン発振器では、分割コンデンサＣa、Ｃb及び帰還抵抗４のみで負性抵抗特性（振幅条件）を調整するので、周波数選択性が悪い。このため、３次オーバトーンでの発振が限界で、５次オーバトーン以上での発振が困難であった。また、例えば特許文献２では水晶振動子３に並列に抵抗を、特許文献３ではさらに直列に共振回路１を接続することが示されているが、いずれも５次以上でのオーバトーン発振は困難であった。
【００１２】
なお、ＰＬＬ回路を使用すれば高周波は容易に得られるが、ＰＬＬ回路特有のジッターがあり、デジタルネットワーク用には使用できない。また、ＳＡＷ共振器を用いた高周波発振器があるが、温度特性が悪くて周波数の高精度要求には対応できない。
【００１３】
（発明の目的）本発明はｎ次オーバトーン特に５次以上のオーバトーン周波数での発振を容易にしたオーバトーン発振器を提供することを目的とする。
【課題を解決するための手段】
【００１４】
本発明は、特許請求の範囲（請求項１）に示したように、水晶振動子と分割コンデンサとで共振回路を形成し、前記共振回路の共振周波数に依存した発振周波数を帰還増幅してなるオーバトーン用の水晶発振器において、前記水晶振動子に並列に抵抗（以下、外付並列抵抗とする）を、直列にインダクタ（以下、外付直列インダクタとする）を接続した構成とする。
【００１５】
本発明の請求項２では、前記水晶振動子に外付並列抵抗を接続した並列回路の等価直列容量及び前記並列回路から見た回路側の負荷容量による直列等価容量と前記外付直列インダクタとの直列共振回路における前記外付並列抵抗を０から無限大に変化させたときの共振周波数をｆ1〜ｆ2としたとき、前記共振周波数ｆ1〜ｆ2の範囲内に前記水晶振動子のｎ次オーバトーン周波数（但し、ｎは３以上の奇数）が位置する構成とする。
【００１６】
同請求項３では、前記外付並列抵抗と前記外付直列インダクタの値はｎ次オーバトーン周波数のみで周波数条件を満たす値に設定された構成とする。
【００１７】
同請求項４では、少なくとも前記抵抗と前記インダクタ及び発振回路を集積化したＩＣチップとを表面実装用とした凹状容器の凹部底面に配置し、両主面に励振電極を有して引出電極の延出した水晶片７の外周部を凹部内壁の段部に固着して、前記容器本体の開口面を封止した構成とする。
【発明の効果】
【００１８】
以下、第１図及び第２図によって本発明の請求項１〜３による動作及び作用効果を説明する。水晶振動子３は、周知されるように、等価直列抵抗Ｒ1、同インダクタＬ1及び同容量Ｃ1の直列腕Ａと、等価並列容量Ｃ0の並列腕Ｂからなる等価回路で示される「第１図（ａ）」。そして、本発明では、第２図（ｂ）に示したように外付並列抵抗Ｒp及び外付直列インダクタＬsを水晶振動子３に接続する。ここでは、これを便宜的に素子付振動子３Ａとする。そして、前述したように分割コンデンサＣa、Ｃb及び発振用増幅器２が接続する（図示せず）。
【００１９】
このようなものでは、先ず、外付並列抵抗Ｒpが水晶振動子３に接続することによって、並列腕Ｂは周知の次式（１）（２）で示される抵抗（以下、等価実質並列抵抗とする）Ｒp′と容量（以下、等価実質並列容量とする）Ｃ0′の直列回路（以下、等価並列腕Ｂ′とする）になる。なお、直列腕ＡのＲ1、Ｌ1、Ｃは等価直列腕Ａ′のＲ1′、Ｌ1′、Ｃ1′になる「第３図（ｃ）」。
Ｒp′＝Ｒp／（１＋Ｒp２ω２Ｃ0）・・・・・・・（１）
Ｃ0′＝（１＋Ｒp２ω２Ｃ0２）／Ｒp２ω２Ｃ0・・（２）
【００２０】
次に、外付直列インダクタＬsを水晶振動子３に接続したことによって、等価実質並列容量Ｃ0′及び負荷容量ＣLと外付直列インダクタＬsで直列共振回路を形成する。なお、負荷容量ＣLは素子付振動子３Ａと外付直列インダクタＬsによる直列回路の両端から回路側を見た分割コンデンサＣa、Ｃbを含む回路側の直列等価容量である。また、基本波及び各オーバトーン次数の共振周波数領域以外では、水晶振動子３の直列腕Ａは高インピーダンスなので無視でき、直列共振回路には含まれない。
【００２１】
ここで、外付並列抵抗Ｒpを０とすると、素子付振動子３Ａは単なる線路なので、外付直列インダクタＬsと負荷容量ＣLとの直列共振回路による共振周波数ｆ1で自励発振する。そして、外付並列抵抗Ｒpの値を０から大きくすると、等価実質並列容量Ｃ0′は小さくなる（無限大から等価並列容量Ｃ0）。
【００２２】
したがって、負荷容量ＣL及び等価実質並列容量Ｃ0′と外付直列インダクタＬsの共振周波数は、第２図に示したように除々に高くなって飽和する。そして、外付並列抵抗Ｒpが無限大となると、水晶振動子２の等価並列容量Ｃ0及び負荷容量ＣLと外付直列インダクタＬｓで決まる共振周波数ｆ2で自励発振する（曲線イ）。
【００２３】
このことから、自励発振周波数は外付直列インダクタＬsと負荷容量ＣLとの直列共振回路による共振周波数（外付並列抵抗Ｒpが０のとき）ｆ1から、外付並列抵抗Ｒpを無限大としたときの外付直列インダクタＬsと並列容量Ｃ0及び負荷容量ＣLによる共振周波数ｆ2の範囲内となる。
【００２４】
そして、例えば自励発振周波数範囲ｆ1〜ｆ2内に水晶振動子３の共振周波数ｆsがあると（曲線ロ）、外付並列抵抗Ｒp1〜Ｒp2の範囲内で自励発振から水晶振動子３の共振周波数領域ｆsΔ（デルタ）で発振する。なお、曲線ロは目盛り上水平としたが、共振周波数ｆsを中心として多少の右上がりになる。すなわち、水晶振動子３は直列共振周波数領域ｆsΔでは、等価直列腕Ａ′の実質直列抵抗Ｒ1′のみとなり、インピーダンスが等価並列腕Ｂ′よりも小さくなる。
【００２５】
したがって、自励発振時の発振周波数が共振周波数領域ｆsΔに接近すると、発振電流は水晶振動子３の等価直列腕Ａ′を通過する。これにより、水晶振動子３の共振周波数領域ｆsΔでの発振に移行する。換言すると、自励発振時の等価実質並列抵抗Ｒp′よりも水晶振動子の等価直列抵抗Ｒ1が小さくなって、水晶振動子の共振周波数領域ｆsΔで発振する。
【００２６】
これらのことから、例えば自励発振周波数範囲ｆ1〜ｆ2内に例えば５次オーバトーンの共振周波数ｆs5があった場合には、５次オーバトーン周波数領域ｆs５Δで発振する。逆に言えば、５次オーバトーンの共振周波数ｆs5を含む周波数範囲で自励発振するように外付並列抵抗Ｒp及び外付直列インダクタＬsの値を選択すると、５次オーバトーンで発振する。
【００２７】
例えば、先ず、負荷容量ＣLとによる自励発振周波数が３次オーバトーン周波数よりも高く、５次オーバトーン周波数よりも低い値に外付直列インダクタＬsを設定する。次に、外付並列抵抗Ｒpの値を高めながら、自励発振周波数を５次オーバトーンの共振周波数領域ｆs5Δに移行させて最適値を選択する。但し、外付並列抵抗Ｒpを無限大としたとき、７次オーバトーンの共振周波数ｆs7Δは自励発振周波数以上とする値に選択する。
【００２８】
そして、これらの場合には、以下の実施例（実験例）で示すように、ｎ次オーバトーン以外の周波数では発振しないことが判明した。すなわち、ｎ次オーバトーン以外の基本波及び各次オーバトーンでは周波数条件を満たたさないので発振しないことが判明した。但し、基本波及び各次数のオーバトーン周波数で振幅条件を満たす。
【００２９】
本発明の請求項４では、発振回路を集積化したＩＣチップ、外付並列抵抗、外付直列インダクタ、水晶振動子としての水晶片を表面実装用の容器本体に収容して一体化するので、小型化を促進したオーバトーン発振器を提供できる。
【実施例１】
【００３０】
以下、表１及び表２を用いて５次オーバトーンで発振させる場合の実験結果を説明する。表１は基本波を60MHzとして、基本波及び３次（180MHz）、５次（300MHz）、７次（420MHz）とした各オーバトーン周波数での周波数条件を求めたものである。但し、外付直列インダクタＬsは68nHの固定値とし、素子付振動子３Ａと外付直列インダクタＬsの端子間から見た負荷容量ＣLのときの素子付振動子３Ａの周波数条件である。
【００３１】
要するに、外付直列インダクタＬsと負荷容量ＣLとのインピーダンス差ωＬs−（1/ωＣL）（Ω）を素子付振動子３Ａが補完すれば周波数条件を満たす。他の条件である振幅条件は各次数のオーバトーンで満たす。発振用ＩＣは前述したＮＰＣ社製のＣＦ５０３４ＢＡを使用する。また、外付直列インダクタＬsは外付並列抵抗Ｒpを０としたとき、負荷容量ＣLとの共振周波数（自励発振周波数）が３次オーバトーン周波数より高く、５次オーバトーン周波数より低くなる値に設定してある。
【００３２】
2005159386.tif 000003
（表１）  
【００３３】
表２は外付抵抗Ｒpをパラメータ（0、75、130、220、300、700Ω）として自励発振周波数及び素子付振動子３Ａの等価並列実質抵抗Ｒp′を求め、さらに基本波及び各オーバトーン次数時における素子付振動子３Ａのインピーダンス（実数部の抵抗Ｒs、及び虚数部のリアクタンスＸs）を求めたものである。
【００３４】
なお、水晶振動子３の直列共振周波数fsは基本波及び３次、５次、７次オーバトーンでそれぞれ59.835、179.506、299.176、418.847MHzで、等価並列容量Ｃ0は2.5pFある。これから、水晶振動子３の等価直列抵抗Ｒ1は基本波、３次、５次、７次オーバトーンでそれぞれ15、50、70、80Ω、同Ｃ1は9.85、1.09、0.394、0.201fF、同インダクタＬ1は基本波及び各オーバトーン次数で0.719ｍＨと算出した。なお、等価直列インダクタＬ1は便宜的に同一とした。
【００３５】
2005159386.tif 000004
（表２）
【００３６】
この実験結果によれば、外付並列抵抗Ｒpが０のときは前述のように素子付振動子３Ａは単なる線路なので、外付直列インダクタＬsと負荷容量ＣLとによる共振周波数230MHzで自励発振する。
【００３７】
次に、外付並列抵抗Ｒpが75Ωのときは、先ず基本波では虚数部のリアクタンスＸs1が周波数条件である383Ωを満たさないので、発振しない。以下、同様に、３次、５次、７次オーバトーンにおいても周波数条件のリアクタンスＸs3、Ｘs5、Ｘs7が59、−61、−147Ωを満たさないので発振しない。したがって、256MHzで自励発振する。
【００３８】
次に、外付並列抵抗Ｒpが130Ωのときは、基本波、３次、７次オーバトーンでは前述同様に周波数条件のリアクタンスＸs1、Ｘs3、Ｘs7が383、59、−147Ωを満たさないので発振しない。そして、５次オーバトーンではリアクタンスＸs5が−61Ωとなって周波数条件を満足する。また、自励発振時の等価実質並列抵抗Rp′83Ωよりも実数部の抵抗Ｒs5が60Ωで小さい。したがって、５次オーバトーンで発振する。
【００３９】
次に、外付並列抵抗Ｒpが220Ωのときは、130Ωのときと同様に、基本波、３次、７次オーバトーンでは同様に周波数条件を満たさず、５次オーバトーンではリアクタンスＸs5が−61Ωとなって周波数条件を満足する。そして、５次オーバトーンでの抵抗Ｒs5は39Ωとなって自励発振時の等価実質並列抵抗Rp′68Ωよりも小さいので、５次オーバトーンで発振する。
【００４０】
次に、外付並列抵抗Ｒpが300Ωのときは、基本波及び７次オーバトーンではリアクタンスＸs1、Ｘs7が383及び-147Ω以下で周波数条件を満たさず、発振しない。また、３次と５次オーバトーンではＸs3及びＸs5が59及び-61Ωとなり、周波数条件を満たす。そして、５次オーバトーンの抵抗Ｒs5は36Ωで、３次オーバトーンの96Ω及び自励発振時の等価実質並列抵抗Ｒp′52Ωよりも小さいので５次オーバトーンで発振する。
【００４１】
最後に、外付並列抵抗Ｒpが700Ωのときは、Ｒp＝300Ωのときと同様に、基本波及び７次オーバトーンでは周波数条件を満たさず、発振しない。また、３次と５次オーバトーンでは周波数条件を満たす。しかし、自励発振時の等価実質並列抵抗Ｒp′が24Ωで３次及び５次オーバトーンの81、33Ωよりも小さいので、自励発振する。
【００４２】
なお、５次オーバトーンで発振時の発振周波数は、外付並列抵抗Ｒpが130Ωのとき299.140、同Ｒpが220Ωのとき299.1615、同Ｒpが300Ωのとき299.164で、共振周波数ｆs（299.176MHz）よりも低く、素子付振動子３Ａは容量性で動作する。但し、素子付振動子３Ａと外付直列インダクタＬsによる直列回路の端子間は誘導性となって、分割コンデンサＣａ、Ｃｂと共振回路を形成する。したがって、この場合もコルピッツである。
【００４３】
以上の実験結果から、外付直列インダクタＬsを68nHとして自励発振周波数を３次より高く５次オーバトーン周波数よりも低く設定し、外付並列抵抗Ｒpを130及び220Ωにすると、５次オーバトーン周波数のみで周波数条件を満たして基本波、３次及び７次オーバトーン周波数では周波数条件を満たさない。そして、５次オーバトーンでの素子付振動子３Ａの実数部（抵抗Ｒs5）は、自励発振時の等価実質並列抵抗Ｒp′よりも小さい。したがって、５次オーバトーンで発振する。
【００４４】
また、外付並列抵抗Ｒpを300Ωにすると、３次及び５次オーバトーンで周波数条件を満たすが、５次オーバトーンの実数部（抵抗Ｒs5）が３次オーバトーンの抵抗Ｒs3及び自励発振時の等価実質並列抵抗Ｒp′よりも小さいので５次オーバトーンで発振する。
【００４５】
これらのことから、本実験では外付直列インダクタＬsを68ｎHとして外付並列抵抗Ｒpを130〜300Ωにすると５次オーバトーンで発振する。特に、130〜220Ωにすると、基本波、３次及び７次オーバトーンでの周波数条件を満足しないので、外付並列抵抗Ｒpを300Ωにしたときよりも発振を確実にする。
【００４６】
なお、ここでのＩＣはＣＦ５０３４ＢＡとして負性抵抗（振幅条件）によって基本波を抑圧する３次オーバトーン用であるが、上記の周波数条件の比較から５次以外のオーバトーン発振を抑圧する。したがって、基本波で振幅条件を満たしても基本波を抑圧できる。これは、以下の第２実施例でも同様である。
【実施例２】
【００４７】
表３及び表４は７次オーバトーンでの発振例を示す実験例である。表３は、基本波を前述同様の60MHzとして、基本波及び３次〜９次オーバトーン周波数での周波数条件を求めたものである。但し、外付直列インダクタＬsは５次オーバトーン周波数より高く９次オーバトーン周波数よりも自励発振周波数が低くなる47nHの固定値とする。ＩＣはＮＰＣ社製のＣＦ５０３４ＡＡである。
【００４８】
2005159386.tif 000005
（表３）  
【００４９】
表４は素子付振動子における基本波及び各オーバトーン次数時のインピーダンス（実数部の抵抗Ｒs及び虚数部のリアクタンスＸs）である。なお、水晶振動子３の直列共振周波数及び各定数は前第１実施例と同一であり、９次オーバトーンでの直列共振周波数は538.518、等価直列容量Ｃ1は0.122fF、同インダクタＬ1は0.719mHである。
【００５０】
2005159386.tif 000006
（表４）
【００５１】
この実験結果によれば、前述同様に外付並列抵抗Ｒpが０（単なる線路）のときは、外付直列インダクタＬsと負荷容量ＣLの共振周波数で自励発振（320MHz）する。そして、外付並列抵抗Ｒpが75Ωのときは、基本波及び各オーバトーン次数で周波数条件を満足せず、同様に自励発振（377MHz）する。
【００５２】
次に、外付並列抵抗Ｒpが140Ωのときは、７次オーバトーンのみが周波数条件（Ｘs7＝-58Ω）を満たし、基本波及び３次、５次、９次オーバトーンは周波数条件であるリアクタンスが572、139、20、-125Ωにはならない。そして、７次オーバトーンの実数部（抵抗Ｒs7＝41Ω）が自励発振の等価実質並列抵抗（Rp′＝61Ω）よりも小さいので、７次オーバトーンで発振する。
【００５３】
次に、外付並列抵抗Ｒpを240、360Ωにしたときには、前述同様に７次オーバトーンのみが周波数条件を満たし、基本波及び３次、５次、９次オーバトーンは周波数条件を満たさない。そして、７次オーバトーンの実数部（抵抗Ｒs7）は自励発振の等価実質並列抵抗Ｒp′よりも小さくなる。したがって、７次オーバトーンで発振する。
【００５４】
最後に、外付並列抵抗Ｒpを700Ωにしたときには、３次、５次、７次オーバトーンで周波数条件を満たす。しかし、実数部の抵抗（Ｒs3、5、7＝189、127、26Ω）が自励発振の等価実質並列抵抗（Rp′＝15Ω）よりも大きくなる。したがって、等価実質容量Ｃ0′及び負荷容量ＣLと外付直列インダクタＬsとによる共振周波数で自励発振（495MHｚ）する。
【実施例３】
【００５５】
第３図は本発明によるオーバトーン発振器の具体的構造図である。オーバトーン発振器は容器本体５にＩＣチップ６、外付並列抵抗Ｒp、外付直列インダクタＬs及び水晶片７を収容し、カバー１３を被せて密閉封入する。容器本体５は内壁の一端側に段部１０を、他端側に舌片１１有する凹状とした積層セラミックからなる。そして、外表面（底面及び側面）に図示しない電源、出力、アース、スタンバイ端子等とした表面実装用の外部端子を有する。
【００５６】
ＩＣチップ６は発振回路を集積化してなり、容器本体５の凹部底面にバンプを用いた超音波熱圧着によって固着される。外付並列抵抗Ｒp及び外付直列インダクタＬsは前述のように例えば５次オーバトーンでのみ周波数条件を満たす値に設定され、ＩＣチップ６とともに凹部底面に固着される。ここでは、舌片１１によって形成された他端側の窪みにそれぞれ配置される。
【００５７】
水晶片７は両主面に励振電極８を有し、例えば一端部両側に引出電極９を延出する。そして、水晶片７の他端部を舌片１１上に載置して、一端部両側を導電性接着剤１２等によって段部１０に固着する。その後、水晶片７の励振電極８にイオンビーム等を照射して周波数調整後、カバー１３を被せて密閉封入する。
【００５８】
第４図は他の構造図（断面図）の例で、ここでの容器本体５は両主面に凹部を有する断面Ｈ状とする。そして、一方の凹部に水晶片７を、他方の凹部にＩＣチップ６と外付並列抵抗Ｒp及び外付直列インダクタＬsを収容する。
【００５９】
このような構成によって、１パッケージとした表面実装型のオーバトーン発振器を得ることができる。なお、外付並列抵抗Ｒp及び外付直列インダクタＬs以外の例えばＩＣ化が困難な大容量のコンデンサ（電源アース間のバイパスコンデンサ等）を凹部内に収容してもよい。
【００６０】
（他の事項）上記説明では外付直列インダクタＬsは、外付並列抵抗Ｒpを０として負荷容量ＣLとによる共振周波数がｎ−２次（例えば３次）オーバトーン周波数よりも高く、ｎ＋２次（同７次）オーバトーン周波数よりも低い値にしてｎ次（同５次）オーバトーンで発振する抵抗値を選択するとしたが、この逆であってもよい。
【００６１】
すなわち、外付並列抵抗Ｒpを無限大として等価直列容量Ｃ1及び負荷容量ＣLとによる共振周波数がｎ＋２次（例えば７次）オーバトーン周波数よりも低く、ｎ−２次（同3次）オーバトーン周波数よりも高い値にしてｎ次（同5次）オーバトーンで発振する抵抗値を選択してもよい。
【００６２】
また、ＩＣはＣＦ５０３４ＢＡ（５次オーバトーン）及びＣＦ５０３４ＡＡ（７次オーバトーン）を使用したが、これに限らず任意のＩＣを使用できる。そして、発振用増幅器はインバータとしたが、トランジスタであってもよく帰還増幅すればよい。
【図面の簡単な説明】
【００６３】
【図１】本発明を説明する図で、同図（ａ）は水晶振動子の等価回路図、同図（ｂ）は素子付振動子の回路、同図（ｃ）は素子付振動子の等価回路図である。
【図２】本発明を説明する外付並列抵抗に対する発振特性図である。
【図３】本発明によるオ−バ−ト−ン発振器の構造図である。
【図４】本発明によるオ−バ−ト−ン発振器の他の構造図である。
【図５】従来例を説明する発振回路図である。
【図６】従来例を説明する水晶振動子のリアクタンス特性図である。
【図７】従来例を説明する負性抵抗特性図である。
【符号の説明】
【００６４】
１  共振回路、２  発振用増幅器、３  水晶振動子、３Ａ  素子付振動子、４  帰還抵抗、５  容器本体、６  ＩＣチップ、７  水晶片、８  励振電極、９  引出電極、１０  段部、１１  舌片、１２  導電性接着剤  １３、カバ−。
【図１】
2005159386.tif 000007
【図２】
2005159386.tif 000008
【図３】
2005159386.tif 000009
【図４】
2005159386.tif 000010
【図５】
2005159386.tif 000011
【図６】
2005159386.tif 000012
【図７】
2005159386.tif 000013